(57)【特許請求の範囲】
【請求項１】
帯状に延びる金属板の幅方向の中央部に屈折された断面がＶ字状の溝部を有し、
この溝部の最深部が一対のコンクリート壁の打継目に位置するように配置され、前記金属板を幅方向に略等分に一対の前記コンクリート壁に埋設していると共に、
水平状態に配置されたコンクリート製の底壁に内在された一方の前記金属板と垂直状態に配置されたコンクリート製の立壁に内在された他方の前記金属板とが直交するようにＴ字状に付き合わされて配置された止水板であって、
他方の前記金属板の長手方向の端部には、一方の前記金属板の溝部の内壁に接合可能に鋭角に突出した突出部を有し、
この突出部は、一方の前記金属板の溝部の内壁に接合可能に、開角した一対の突出斜辺部を設けている止水板。
【請求項２】
前記金属板は、
前記溝部の最深部を中心に開角して当該溝部を構成する一対の斜辺部と、
これらの斜辺部の先端部が屈折されて相反する向きに延びる一対の鍔部と、を含んでいる請求項１記載の止水板。
【請求項３】
前記金属板の幅方向の端縁に折り曲げ片を更に設けた請求項１又は２記載の止水板。
【請求項４】
前記金属板は、銅の展伸材からなる請求項１から３のいずれかに記載の止水板。
【発明の詳細な説明】
【技術分野】
【０００１】
本発明は、止水板に関する。特に、コンクリートで造られた防止堤などの打継目に設けられ、屋外貯蔵タンクからの流出油などがコンクリートの打継目から外部に流出することを防止する、止水板の構造に関する。
【背景技術】
【０００２】
例えば、発電所などでは、油を貯蔵する屋外タンクが地震などで破損し、貯蔵された油が漏洩して外部に拡散することを防止するために、屋外タンクの周りにコンクリートで造られた流出油などの防止堤（以下、防油堤という）を設置している。このような防油堤は、基礎砕石の上に設置されて地盤に埋設された底壁と、地上に突出した立壁とが、例えば、逆Ｔ字状に一体に構成されている。
【０００３】
これらのコンクリート製の底壁及び立壁を施工するにあたっては、型枠にいわゆる「生コン」を打ち込み、コンクリートが固化するまで養生している。しかし、これらの底壁及び立壁は、一般に、一度にコンクリートを固化させる訳ではなく、「型枠組み作業」→「打ち込み作業」→「型枠解体」を繰り返し、コンクリート壁を積み上げて、いわゆる分割施工している。
【０００４】
このため、先行施工されたコンクリート壁と後行施工されたコンクリート壁とは、時間差による乾き度が異なっているために、完成時には、これらのコンクリート壁に打継目が生じていた。そして、この打継目から水や油などの液体が漏れないように、打継目に止水板を設けていた。
【０００５】
しかし、コンクリート構造物の不等沈下や地震などによって、打継目に大きな隙間ができるように一対のコンクリート壁が離反した場合には、従来の止水板は、これらのコンクリート壁の変位に対して、追従性能が不十分であり、止水板とコンクリート壁の間から水や油などの液体が漏れるという不具合があった。又、気温変動に伴うコンクリート壁の温度伸縮によって、止水板とコンクリートが離反して、この隙間から水や油などの液体が漏れるという不具合があった。
【０００６】
このような不具合に対して、一対のコンクリート壁の変位に対する追従性能を大幅に向上させた、塩化ビニル製の止水板が開示されている（例えば、特許文献１参照）。
【０００７】
特許文献１による止水板は、打継目を挟んで相対向するコンクリート壁に左右の板状の定着部を打継目と直交するようにそれぞれ埋設すると共に、打継目に各定着部間の中央部を位置させて、内継目を止水している。そして、止水板の中央部は、一連かつ左右一対の折り重ね部からなり、各折り重ね部は、各定着部から定着部と直交する方向に互いに逆向きに折り曲げて突出させた後、断面略Ｕ字状に折り返されている。
【０００８】
特許文献１による止水板は、一対のコンクリート壁が離反するような、打継目の変位に対し、各折り重ね部を拡開させて追従させることができるため、従来の止水板に比べ格段に変形追従性能を向上できる、としている。
【先行技術文献】
【特許文献】
【０００９】
【特許文献１】登録実用新案第３０４６４０８号公報
【発明の概要】
【発明が解決しようとする課題】
【００１０】
しかしながら、特許文献１による止水板は、一対のコンクリート壁が離反するような、打継目の変位に対して、一対のコンクリート壁が離反することを阻止するようには構成されていない。したがって、地震などの大きなエネルギを有する力よりも、日常的な気温変動に伴うコンクリート壁の温度伸縮による打継目の離反を阻止することに貢献することは困難である。
【００１１】
一対のコンクリート壁の温度伸縮に伴う打継目の離反を阻止することに貢献し、この打継目から水や油などの液体が漏れないように、打継目を止水する止水板が実現できれば、経年変化に伴う漏水又は漏油を防止でき、防止堤としては寿命を延ばすこともできる。そして、以上のことが本発明の課題といってよい。
【００１２】
本発明は、このような課題に鑑みてなされたものであり、一対のコンクリート壁の温度伸縮に伴う打継目の離反を阻止することに貢献し、かつ、経年変化に伴う漏水又は漏油を防止できる止水板を提供することを目的とする。
【課題を解決するための手段】
【００１３】
本発明者は、帯状に延びる金属製の止水板の幅方向の中央部に屈折された断面がＶ字状の溝部を形成し、この溝部の最深部が一対のコンクリート壁の打継目に位置するように、止水板を幅方向に略等分に一対のコンクリート壁に埋設することにより、これらの課題が解決可能なことを見出し、これに基づいて、以下のような新たな止水板を発明するに至った。
【００１４】
（１）本発明による止水板は、帯状に延びる金属板の幅方向の中央部に屈折された断面がＶ字状の溝部を有し、この溝部の最深部が一対のコンクリート壁の打継目に位置するように配置され、前記金属板を幅方向に略等分に一対の前記コンクリート壁に埋設している。
【００１５】
（２）前記金属板は、前記溝部の最深部を中心に開角して当該溝部を構成する一対の斜辺部と、これらの斜辺部の先端部が屈折されて相反する向きに延びる一対の鍔部と、を含んでいることが好ましい。
【００１６】
（３）前記金属板の幅方向の端縁に折り曲げ片を更に設けることが好ましい。
【００１７】
（４）前記金属板は、銅の展伸材からなることが好ましい。
【００１８】
（５）水平状態に配置されたコンクリート製の底壁に内在された一方の前記金属板と垂直状態に配置されたコンクリート製の立壁に内在された他方の前記金属板とが直交するようにＴ字状につき合わされて配置された止水板であって、他方の前記金属板の長手方向の端部における溝部には、鋭角に突出した突出部を有し、この突出部は、一方の前記金属板の溝部の内壁に接合可能に、開角した一対の突出斜辺部を設けていることが好ましい。
【００１９】
（６）本発明による防油堤は、本発明による止水板を含んでいる。
【００２０】
（７）本発明による止水板の施工方法は、帯状に延びる金属板の幅方向の中央部に屈折された断面がＶ字状の溝部を有する止水板を用いて、一対のコンクリート壁の打継目からの漏水又は漏油を防止する止水板の施工方法であって、前記溝部の最深部が前記打継目に位置するように止水板を配置して、前記金属板の幅方向の略半分を一方の前記コンクリート壁に埋設できるように第１型枠を組みたてる第１の型枠組みステップと、前記第１型枠に流動性を有するコンクリートを打ち込み、このコンクリートを固化及び養生させる固化・養生ステップと、前記第１型枠の内、前記金属板の幅方向の残りの略半分が突出したコンクリート壁面を覆う第１型枠板を少なくとも解体する解体ステップと、前記金属板の幅方向の残りの略半分を他方の前記コンクリート壁に埋設できるように第２型枠を組みたてる第２の型枠組みステップと、を含んでいる。
【００２１】
（８）本発明による防油堤は、本発明による止水板の施工方法を含んで施工される。
【発明の効果】
【００２２】
本発明による止水板は、帯状に延びる金属製の止水板の幅方向の中央部に屈折された断面がＶ字状の溝部を形成し、この溝部の最深部が一対のコンクリート壁の打継目に位置するように、止水板を幅方向に略等分に一対のコンクリート壁に埋設しているので、一対のコンクリート壁の温度伸縮に伴う打継目の離反を阻止することに貢献し、かつ、経年変化に伴う漏水又は漏油を防止できる。
【図面の簡単な説明】
【００２３】
【図１】本発明の第１実施形態による止水板の構成を示す斜視図であり、一方の止水板と他方の止水板とがＴ字状につき合わされて配置された状態図である。
【図２】第１実施形態による止水板の横断面図である。
【図３】第１実施形態による止水板の平面図である。
【図４】第１実施形態による止水板の横断面図であり、一方のコンクリート壁を第１型枠で囲った状態図である。
【図５】第１実施形態による止水板の縦断面図であり、他方のコンクリート壁を第２型枠で更に囲った状態図である。
【図６】第１実施形態による止水板を用いた防油堤の縦断面図である。
【図７】本発明の第２実施形態による止水板の構成を示す横断面図である。
【図８】第２実施形態による止水板の構成を示す斜視図であり、一方の止水板と他方の止水板とがＴ字状につき合わされて配置された状態図である。
【発明を実施するための形態】
【００２４】
［第１実施形態］
［止水板の構成］
最初に、本発明の第１実施形態による止水板の構成を説明する。
【００２５】
図１は、本発明の第１実施形態による止水板の構成を示す斜視図であり、一方の止水板と他方の止水板とがＴ字状につき合わされて配置された状態図である。図２は、第１実施形態による止水板の横断面図である。図３は、第１実施形態による止水板の平面図である。
【００２６】
図１から図３を参照すると、本発明の第１実施形態による止水板１０は、帯状に延びる金属板１の幅方向の中央部に屈折された断面がＶ字状の溝部１ｖを有している。金属板１は、溝部１ｖの最深部１１ｖを中心に開角する一対の斜辺部１ａ・１ｂを形成している。又、金属板１は、これらの斜辺部１ａ・１ｂの先端部が屈折されて、相反する向きに延びる一対の鍔部１ｃ・１ｄを形成している。
【００２７】
図１から図３を参照すると、図示された止水板１０は、例えば、図示しない折り曲げ加工機（ｂｅｎｄｅｒ：ベンダー）を用いて、帯状に延びる平坦な金属板を成形加工（プレス加工）することにより、Ｖ字状の溝部１ｖを形成できる。
【００２８】
図２を参照すると、止水板１０は、溝部１ｖの最深部１１ｖを通る仮想の線分を中心に線対称に構成している。又、止水板１０は、溝部１ｖの最深部１１ｖが一対のコンクリート壁８ａ・８ｂの打継目８ｓに位置するように配置されている。
【００２９】
図１から図３を参照すると、一方の斜辺部１ａ及び鍔部１ｃは、一方のコンクリート壁８ａに埋設されている。他方の斜辺部１ｂ及び鍔部１ｄは、他方のコンクリート壁８ｂに埋設されている。すなわち、止水板１０は、金属板１を幅方向に略等分に一対のコンクリート壁８ａ・８ｂに埋設している。
【００３０】
図１を参照すると、水平状態に配置された一方の金属板１と垂直状態に配置された一方の金属板１とが、直交するようにＴ字状につき合わされて配置されている。例えば、一方の金属板１は、コンクリート製の底壁８１に内在されている（図６参照）。
【００３１】
又、図１を参照すると、他方の金属板１は、コンクリート製の立壁８２に内在されている（図６参照）。そして、他方の金属板１の長手方向の端部における溝部１ｖには、鋭角に突出した突出部１ｐを有している。突出部１ｐは、一方の金属板１の溝部１ｖの内壁に接合可能に、開角した一対の突出斜辺部を設けている。
【００３２】
［止水板の施工方法］
次に、第１実施形態による止水板１０の施工方法を説明する。図４は、第１実施形態による止水板の横断面図であり、一方のコンクリート壁を第１型枠で囲った状態図である。図５は、第１実施形態による止水板の縦断面図であり、他方のコンクリート壁を第２型枠で更に囲った状態図である。
【００３３】
最初に、図４を参照して、溝部１ｖの最深部１１ｖが打継目８ｓに位置するように止水板１０を配置して、金属板１の幅方向の略半分を一方のコンクリート壁８ａに埋設できるように第１型枠６を組みたてる（第１の型枠組みステップ）。図４では、第１型枠６は、コンクリート壁８ａの厚さを規定する一対の第１型枠板６１・６２を図示しているが、コンクリート壁８ａの幅を規定する第１型枠板は、図示を省力している。
【００３４】
次に、図４を参照して、第１型枠６に流動性を有するコンクリート（いわゆる、生コン）を打ち込み、このコンクリートを固化及び養生させる（固化・養生ステップ）。次に、第１型枠６の内、金属板１の幅方向の残りの略半分が突出したコンクリート壁面を覆う第１型枠板６２を解体する（解体ステップ）。
【００３５】
次に、図５を参照して、金属板１の幅方向の残りの略半分を他方のコンクリート壁８ｂに埋設できるように、第２型枠７を組みたてる（第２の型枠組みステップ）。図５では、先行施工されたコンクリート壁８ａと第２型枠板７１とで、他方のコンクリート壁８ｂの厚さが規定される。
【００３６】
次に、図５を参照して、第２型枠７に流動性を有するコンクリートを打ち込み、このコンクリートを固化及び養生させることで、止水板１０の施工作業を終了する。
【００３７】
［止水板の作用］
次に、第１実施形態による止水板１０を用いた実例をあげて、止水板１０の作用及び効果を説明する。図６は、第１実施形態による止水板を用いた防油堤の縦断面図である。
【００３８】
図１から図３を参照して、金属板１は、銅（Ｃｕ）の展伸材からなることが好ましい。銅は、貨幣の材料（銅貨）としても利用され、耐蝕性が高いことから止水板に適している。又、銅は、コンクリートより若干、熱膨張率が大きいが熱伝導率が優れている。更に、銅板は、プレス機などによる成形加工が容易であるという利点がある。
【００３９】
図１から図３を参照して、第１実施形態による止水板１０は、銅からなる金属板１を幅方向に略等分に一対のコンクリート壁８ａ・８ｂに埋設することで、コンクリート壁８ａ・８ｂが温度収縮しても十分に追随できる。そして、第１実施形態による止水板１０は、埋設部分の剥離を困難とし、漏水又は漏油を防止する機能を維持できる。
【００４０】
又、図２を参照すると、第１実施形態による止水板１０は、溝部１ｖの最深部１１ｖが一対のコンクリート壁８ａ・８ｂの打継目８ｓに位置するように配置され、金属板１が幅方向に略等分に一対のコンクリート壁８ａ・８ｂに埋設されているので、一対のコンクリート壁８ａ・８ｂの温度伸縮に伴う打継目８ｓの離反を阻止することに貢献できる。
【００４１】
図６を参照すると、防油堤８０は、地盤８ｇに埋設されたコンクリート製の底壁８１と、地上に突出したコンクリート製の立壁８２とが、逆Ｔ字状に一体に構成されている。底壁８１は、基礎砕石８ｃに敷設されて均しコンクリート８ｄに設置されている。
【００４２】
図６を参照すると、底壁８１及び立壁８２は、分割施工されている。そして、底壁８１及び立壁８２には、第１実施形態による止水板１０を内在している。図１は、防油堤８０に内在された止水板１０の骨組みを示したものであって、突出部１ｐには、一方の金属板１の溝部１ｖの内壁に接合可能に、開角した一対の突出斜辺部を設けている。したがって、一対の鍔部１ｃ・１ｄ及び突出部１ｐの隙間に予めコーキング材を充填しておくことで、底壁８１の打継目８ｓ及び立壁８２の打継目８ｓのいずれからの漏油を防止できる。
【００４３】
［第２実施形態］
［止水板の構成］
次に、本発明の第２実施形態による止水板の構成を説明する。なお、第１実施形態で使用した符号と同じ符号を有する構成品は、その作用を同一とするので、以下の説明では割愛する場合がある。
【００４４】
図７は、本発明の第２実施形態による止水板の構成を示す横断面図である。図８は、第２実施形態による止水板の構成を示す斜視図であり、一方の止水板と他方の止水板とがＴ字状につき合わされて配置された状態図である。
【００４５】
図７又は図８を参照すると、本発明の第２実施形態による止水板２０は、金属板１の幅方向の端縁に一対の折り曲げ片１ｅ・１ｆを更に設けている。又、止水板２０は、溝部１ｖの最深部１１ｖが一対のコンクリート壁８ａ・８ｂの打継目８ｓに位置するように配置されている。
【００４６】
図７又は図８を参照すると、一方の斜辺部１ａ、鍔部１ｃ、及び折り曲げ片１ｅは、一方のコンクリート壁８ａに埋設されている。他方の斜辺部１ｂ、鍔部１ｄ、及び折り曲げ片１ｆは、他方のコンクリート壁８ｂに埋設されている。すなわち、止水板２０は、金属板１を幅方向に略等分に一対のコンクリート壁８ａ・８ｂに埋設している。
【００４７】
図１から図３を参照すると、第１実施形態による止水板１０は、一対のコンクリート壁８ａ・８ｂを厚さ方向に重ねてできる打継目８ｓを止水している。しかし、一対のコンクリート壁８ａ・８ｂを厚さ方向に重ねてできる打継目８ｓを第２実施形態による止水板２０で止水してもよい。
【００４８】
一方、図７又は図８を参照すると、第２実施形態による止水板２０は、一対のコンクリート壁８ａ・８ｂを幅方向に重ねてできる打継目８ｓを止水している。しかし、一対のコンクリート壁８ａ・８ｂを幅方向に重ねてできる打継目８ｓを第１実施形態による止水板１０で止水してもよい。
【００４９】
図７を参照して、溝部１ｖの最深部１１ｖが打継目８ｓに位置するように止水板２０を配置して、金属板１の幅方向の略半分を一方のコンクリート壁８ａに埋設できるように第１型枠６を組みたてることが好ましく、次に、第１実施形態で開示された、止水板の施工方法と同じ要領で、他方のコンクリート壁８ｂを後行施工することが好ましい。
【００５０】
図６に示された防油堤８０は、底壁８１及び立壁８２に第２実施形態による止水板２０を内在してもよく、図８に示されるように、止水板２０を骨組みしてもよい。又、図８に示された、一対の鍔部１ｃ・１ｄ及び突出部１ｐの隙間に予めコーキング材を充填しておくことで、底壁８１の打継目８ｓ及び立壁８２の打継目８ｓのいずれからの漏油を防止できる。
【００５１】
［止水板の作用］
次に、第２実施形態による止水板２０の構成を補足しながら、止水板２０の作用及び効果を説明する。
【００５２】
図７及び図８を参照すると、第２実施形態による止水板２０は、第１実施形態による止水板１０が有する効果に加えて、金属板１の幅方向の端縁に一対の折り曲げ片１ｅ・１ｆを更に設けているので、コンクリートがこれらの折り曲げ片１ｅ・１ｆを拘束することで、一対のコンクリート壁８ａ・８ｂの温度伸縮に伴う打継目８ｓの離反を阻止することに更に貢献できる。
【００５３】
図７を参照すると、一対のコンクリート壁８ａ・８ｂには、ゴム板などの可撓性部材８ｅを配置している。可撓性部材８の両端部は、アンカーボルト８ｅｂで固定されている。可撓性部材８の中央部は、Ｗ字状に湾曲して、その中央部の突条部が打継目８ｓに密着するように当接、又はその中央部の突条部が打継目８ｓに近接している。一対のコンクリート壁８ａ・８ｂの壁面を可撓性部材８ｅで防護することにより、止水板２０の破損（例えば、疲労破壊）した場合も、漏水又は漏油を防止する機能を維持できる。
【００５４】
本発明による止水板は、Ｖ字状の折り目を金属製の止水板の中央部に設け、この折れ目の頂点を中心に止水板を略等分に一対のコンクリート壁に埋設することで、コンクリート壁が温度変動で収縮しても、この変動に止水板が追随し易くなる。又、止水板がコンクリートから剥離し難くなり、漏水又は漏油を防止する機能を維持できる。
【符号の説明】
【００５５】
１  金属板
１ｖ  溝部
１ａ・１ｂ  一対の斜辺部
１ｃ・１ｄ  一対の鍔部
８ａ・８ｂ  一対のコンクリート壁
８ｓ  打継目
１０  止水板
１１ｖ  最深部
【図１】
0005355526.tif 000002
【図２】
0005355526.tif 000003
【図３】
0005355526.tif 000004
【図４】
0005355526.tif 000005
【図５】
0005355526.tif 000006
【図６】
0005355526.tif 000007
【図７】
0005355526.tif 000008
【図８】
0005355526.tif 000009